(57)【要約】【課題】  携帯型パソコン使用中や携帯型パソコンの使用の合間に、携帯型パソコンの周辺に大きな空間を必要とすることなく、容易に他の作業を行うことができるようにすること。【解決手段】  台兼用キーボードカバー１０１を携帯型パソコン２０１上に載置すると、複数の第１支持部１０７、１０８及び第２支持部１０９、１１０が携帯型パソコン２０１に当接して平板部１０２を支持すると共に、複数の第１凸部１０３、１０４及び第２凸部１０５、１０６が携帯型パソコン２０１の側部２０８、２０９側に突出するように位置し、平板部１０２が左右方向に位置ずれすることが抑制される。これにより、台兼用キーボードカバー１０１の平板部１０２は携帯型パソコン２０１のキーボード２０５及びトラックパッド２０６を被うように保持され、平板部１０２上でメモ等の作業が可能になる。【選択図】  図５
0003129195.tif 000002
【実用新案登録請求の範囲】
【請求項１】
所定の剛性を有する平板部と、前記平板部の一端側に設けられた第１凸部と、前記平板部の他端側に設けられた第２凸部と、前記平板部の前記一端側であって前記第１凸部よりも前記他端側に近い位置に設けられると共に前記第１凸部よりも高さの低い凸状の複数の第１支持部と、前記平板部の前記他端側であって前記第２凸部よりも前記一端側に近い位置に設けられると共に前記第２凸部よりも高さの低い凸状の複数の第２支持部とを備えて成り、
前記複数の第１支持部及び第２支持部が、携帯型パソコンにおけるキーボードが設けられた側の筐体上面のキーボード以外の部分に当接して前記平板部を支持する状態では、前記第１凸部、第２凸部は、各々、前記平板部が前記携帯型パソコンに対して移動するのを抑制可能なように前記携帯型パソコンの一端側の側部、他端側の側部に対面し、前記平板部は前記キーボードに当接することなく少なくとも前記キーボードを被うように位置することを特徴とする台兼用キーボードカバー。
【請求項２】
前記平板部は合成樹脂によって長方形状に形成され、
前記各第１支持部及び第２支持部は滑り止め部材によって形成されると共に、前記各第１支持部は前記第１凸部よりも前記平板部の他端側に近い位置であって前記平板部の一端側の隅部に設けられ、前記各第２支持部は前記第２凸部よりも前記平板部の一端側に近い位置であって前記平板部の他端側の隅部に設けられていることを特徴とする請求項１記載の台兼用キーボードカバー。
【請求項３】
前記平板部は透光性を有する合成樹脂によって形成されると共に、前記各第１支持部及び第２支持部はゴムによって形成されていることを特徴とする請求項１又は２記載の台兼用キーボードカバー。
【請求項４】
前記複数の第１支持部及び第２支持部が、前記携帯型パソコンにおけるキーボードが設けられた側の筐体上面のキーボード以外の部分に当接して前記平板部を支持し、前記平板部が前記キーボードに当接することなく少なくとも前記キーボードを被うように位置する状態では、前記第１凸部、第２凸部は、各々、前記平板部が前記携帯型パソコンに対して移動するのを抑制可能なように前記携帯型パソコンの一端側の側部、他端側の側部に対面すると共に、前記携帯型パソコンの一端側の側部、他端側の側部に設けられたパソコン付属機能部に対面しない位置に設けられていることを特徴とする請求項１乃至３のいずれか一に記載の台兼用キーボードカバー。
【考案の詳細な説明】
【技術分野】
【０００１】
本考案は、携帯型パソコンのキーボードを被うキーボードカバーとして使用されると共に、前記携帯型パソコン上に配設した状態で作業台としても使用可能な携帯型パソコン用の台兼用キーボードカバーに関する。
【背景技術】
【０００２】
従来から、パーソナルコンピュータ（パソコン）を使用する場合、前記パソコン及び前記パソコンとともに同時に使用する資料等を置くためにラック等が使用されている（たとえば、特許文献１参照）。
一方、前記ラックを配置する場所が無いような狭い部屋や外出先等では、ノートブック型パソコン等の携帯型パソコンが活用されている。
【０００３】
前記携帯型パソコンは机上や膝の上等に配置して使用することになるため、前記携帯型パソコンの使用中に何らかの作業を行う場合、例えば、メモ用紙にメモをとる場合や、前記携帯型パソコンを使用中に一時的に前記携帯型パソコンの操作を中断して前記携帯型パソコンの前でコーヒーを飲んで休憩する場合等には、前記携帯型パソコンの周辺に一定の広さの空間を確保し、前記空間にメモ用紙を置いてメモをとったり、前記空間にコーヒーの入ったコップを置いたりするようにしている。
したがって、前記携帯型パソコンの周辺に一定広さの大きな空間を必要とするため、前記空間が確保できないような場所では、パソコン使用中にメモをとったり、パソコン使用の合間にコーヒーを飲んだりする等の作業を行うことが困難という問題がある。
【０００４】
【特許文献１】特開平９−６５９３６号公報
【考案の開示】
【考案が解決しようとする課題】
【０００５】
本考案は、携帯型パソコン使用中や携帯型パソコンの使用の合間に、前記携帯型パソコンの周辺に大きな空間を必要とすることなく、容易に他の作業を行うことができるようにすることを課題としている。
【課題を解決するための手段】
【０００６】
本考案によれば、所定の剛性を有する平板部と、前記平板部の一端側に設けられた第１凸部と、前記平板部の他端側に設けられた第２凸部と、前記平板部の前記一端側であって前記第１凸部よりも前記他端側に近い位置に設けられると共に前記第１凸部よりも高さの低い凸状の複数の第１支持部と、前記平板部の前記他端側であって前記第２凸部よりも前記一端側に近い位置に設けられると共に前記第２凸部よりも高さの低い凸状の複数の第２支持部とを備えて成り、前記複数の第１支持部及び第２支持部が、携帯型パソコンにおけるキーボードが設けられた側の筐体上面のキーボード以外の部分に当接して前記平板部を支持する状態では、前記第１凸部、第２凸部は、各々、前記平板部が前記携帯型パソコンに対して移動するのを抑制可能なように前記携帯型パソコンの一端側の側部、他端側の側部に対面し、前記平板部は前記キーボードに当接することなく少なくとも前記キーボードを被うように位置することを特徴とする台兼用キーボードカバーが提供される。
【０００７】
複数の第１支持部及び第２支持部が、携帯型パソコンにおけるキーボードが設けられた側の筐体上面のキーボード以外の部分に当接して平板部を支持する状態では、第１凸部、第２凸部は、各々、前記平板部が前記携帯型パソコンに対して移動するのを抑制可能なように前記携帯型パソコンの一端側の側部、他端側の側部に対面し、前記平板部は前記キーボードに当接することなく少なくとも前記キーボードを被うように位置する。
前記平板部は所定の剛性を有するため、前記平板部が前記キーボードを被った状態で、前記平板部上にメモ用紙を置いてメモをとったり、コーヒーのコップを置いたり等の作業を行う台として使用できる。
【０００８】
ここで、前記平板部は合成樹脂によって長方形状に形成され、前記各第１支持部及び第２支持部は滑り止め部材によって形成されると共に、前記各第１支持部は前記第１凸部よりも前記他端側に近い位置であって前記平板部の一端側の隅部に設けられ、前記各第２支持部は前記第２凸部よりも前記一端側に近い位置であって前記平板部の他端側の隅部に設けられているように構成してもよい。
【０００９】
また、前記平板部は透光性を有する合成樹脂によって形成されると共に、前記各第１支持部及び第２支持部はゴムによって形成されているように構成してもよい。
また、前記複数の第１支持部及び第２支持部が、前記携帯型パソコンにおけるキーボードが設けられた側の筐体上面のキーボード以外の部分に当接して前記平板部を支持し、前記平板部が前記キーボードに当接することなく少なくとも前記キーボードを被うように位置する状態では、前記第１凸部、第２凸部は、各々、前記平板部が前記携帯型パソコンに対して移動するのを抑制可能なように前記携帯型パソコンの一端側の側部、他端側の側部に対面すると共に、前記携帯型パソコンの一端側の側部、他端側の側部に設けられたパソコン付属機能部に対面しない位置に設けられているように構成してもよい。
【考案の効果】
【００１０】
本考案に係る台兼用キーボードカバーによれば、携帯型パソコン使用中や携帯型パソコンの使用の合間に、前記携帯型パソコンの周辺に大きな空間を必要とすることなく、容易に他の作業を行うことが可能になる。
【考案を実施するための最良の形態】
【００１１】
以下、本考案の実施の形態に係る台兼用キーボードカバーについて説明する。
図１は本考案の実施の形態に係る台兼用キーボードカバーの平面図、図２は本考案の実施の形態に係る台兼用キーボードカバーの正面図、図３は本考案の実施の形態に係る台兼用キーボードカバーの斜視図であり、各図において同一部分には同一符号を付している。
【００１２】
図１〜図３において、台兼用キーボードカバー１０１は、所定の剛性を有する所定形状（本実施の形態では長方形状）の平板部１０２、平板部１０２の一端である右側部１１１側に設けられた複数（本実施の形態では２個）の第１凸部１０３、１０４、平板部１０２の他端である左側部１１２側に設けられた複数（本実施の形態では２個）の第２凸部１０５、１０６、平板部１０２の右側部１１１側に設けられた複数（本実施の形態では２個）の第１支持部１０７、１０８、平板部１０２の左側部１１２側に設けられた複数（本実施の形態では２個）の第２支持部１０９、１１０を一体的にした構成となっている。
【００１３】
ここで、平板部１０２、第１凸部１０３、１０４、第２凸部１０５、１０６、第１支持部１０７、１０８、第２支持部１０９、１１０を一体的に構成するとは、これらの構成要素中の少なくとも一部の構成要素を同一部材によって一体形成する場合や、接着剤によって一体に構成したり、ネジによって一体に構成する等して、一体に構成する場合を含む。
平板部１０２は、後述するように、その上にメモ用紙を置いてメモをとったり、コーヒーの入ったコップ等を置く等の作業に使用する台であり、これらの作業を行う場合に撓まなければよいため、平板部１０２の所定の剛性は、平板部１０２上で前記のような所定作業を行う場合に撓まない程度の剛性を意味している。平板部１０２は透光性を有する合成樹脂（例えば、アクリル樹脂）によって形成されている。
尚、１１３は平板部１０２の前側部、１１４は平板部１０２の後側部である。
【００１４】
各第１凸部１０３、１０４及び第２凸部１０５、１０６は、直方体形状を成しており、その長辺が側部１１１、１１２に各々沿う方向に整列した状態で配設されている。
各第１凸部１０３、１０４及び第２凸部１０５、１０６は所定の強度を有する材料（例えば、アクリル樹脂等の合成樹脂）によって構成されている。
第１凸部１０３と第２凸部１０５の間隔、及び、第１凸部１０４と第２凸部１０６の間隔は、台兼用キーボードカバー１０１を載置する携帯型パーソナルコンピュータ（携帯型パソコン）の横幅よりも僅かに大きく構成されている。
【００１５】
複数の第１支持部１０７、１０８は平板部１０２の右側部１１１側であって第１凸部１０３、１０４よりも左側部１１２側に近い位置に設けられると共に第１凸部１０３、１０４よりも高さの低い凸状の形状に構成されている。複数の第２支持部１０９、１１０は平板部１０２の左側部１１２側であって第２凸部１０５、１０６よりも右側部１１１側に近い位置に設けられると共に第２凸部１０５、１０６よりも高さの低い凸状の形状に構成されている。
【００１６】
本実施の形態では第１凸部と第２凸部を、各々、複数個設けように構成しているが、平板部１０２が携帯型パソコンに対して左右方向に移動するのを抑制可能であれば、各々１個、あるいはいずれか一方を１個設けると共に他方を複数個設けるようにしてもよい。
各第１凸部１０３、１０４及び第２凸部１０５、１０６は、台兼用キーボードカバー１０１を携帯型パソコン上に設置した状態で、前記携帯型パソコンの側部側に所定長突出するように所定の高さに形成されている。
【００１７】
また、各第１凸部１０３、１０４及び第２凸部１０５、１０６は、台兼用キーボードカバー１０１を携帯型パソコンに載置した状態では、前記携帯型パソコンの右側部や左側部に設けられているコネクタ部やＣＤ−ＲＯＭ装着用開閉部等のパソコン付属機能部に対面しない位置に設けられている。
【００１８】
即ち、各第１支持部１０７、１０８及び第２支持部１０９、１１０が、携帯型パソコンにおけるキーボードが設けられた側の筐体上面のキーボード以外の部分に当接して平板部１０２を支持する状態では、第１凸部１０３、１０４、第２凸部１０５、１０６は、各々、平板部１０２が前記携帯型パソコンに対して移動するのを抑制可能なように前記携帯型パソコンの一端側の側部、他端側の側部に対面し、平板部１０２は前記キーボードに当接することなく少なくとも前記キーボードを被うように位置するように構成されている。
【００１９】
これにより、各第１凸部１０３、１０４及び第２凸部１０５、１０６はパソコン付属機能部を避けた位置に配設されるため、前記パソコン付属機能部にマウスのケーブル等が接続された場合でも、各第１凸部１０３、１０４及び第２凸部１０５、１０６は前記ケーブル等の邪魔になることがない。
前記パソコン付属機能部としては、ＵＳＢ（Universal Serial Bus）用コネクタ部、シリアルインタフェース用コネクタ部、電話ケーブル接続用コネクタ部、イヤホン端子部、マイク端子部等のコネクタ部をはじめとして、ＣＤ−ＲＯＭ（あるいはＤＶＤ）装着用開閉部等がある。
【００２０】
各第１支持部１０７、１０８は、第１凸部１０３、１０４よりも平板部１０２の左側部１１２側に近い位置であって平板部１０２の右側部１１１側の隅部１１５、１１６に設けられている。また、各第２支持部１０９、１１０は第２凸部１０５、１０６よりも平板部１０２の右側部１１１側に近い位置であって平板部１０２の左側部１１２側の隅部１１７、１１８に設けられている。
隅部１１５〜１１８は複数設けられているが、本実施の形態では平板部１０２が長方形であるため、本実施の形態では４カ所の隅部１１５〜１１８が設けられている。
【００２１】
また、各第１支持部１０７、１０８及び第２支持部１０９、１１０は、台兼用キーボードカバー１０１を前記携帯型パソコンに載置した状態で、前記携帯型パソコンの第２筐体（キーボードが配設されている側の筐体）上面に構成されたキーボードやトラックパッド等の操作部に当接しない位置に設けられている。また、台兼用キーボードカバー１０１を前記携帯型パソコン上に載置した状態で、台兼用キーボードカバー１０１と前記携帯型パソコンが相対的に滑らないように、各第１支持部１０７、１０８及び第２支持部１０９、１１０は、一定の摩擦を有する部材である滑り止め部材（本実施の形態ではゴム）によって構成されている。
【００２２】
図４、図５は、本考案の実施の形態に係る台兼用キーボードカバー１０１の使用方法を示す斜視図で、図６、図７は、各々、本考案の実施の形態に係る台兼用キーボードカバー１０１の使用方法を示す部分拡大平面図、部分拡大正面図である。
尚、図６においては後述する第１筐体を省略して描いている。また、図１〜図７において同一部分には同一符号を付している。
【００２３】
図４〜図７において、携帯型パソコン２０１は、ヒンジによって連結され相互に折り畳み可能に構成された第１筐体２０２及び第２筐体２０４を備えている。
第１筐体２０２には、第１筐体２０２と第２筐体２０４を使用状態に相互に開いて机等の台上に載置した状態で前面側に位置する、液晶表示装置等によって構成された表示部２０３が設けられている。
第２筐体２０４には、第１筐体２０２及び第２筐体２０４を使用状態に相互に開いて台上に載置した状態で上面側に位置する、キーボード２０５やトラックパッド２０６が設けられている。
【００２４】
一端側である第２筐体２０４の右側部２０９側の側部にはＵＳＢ等のコネクタ部２１２が設けられ、又、他端側である第２筐体２０４の左側部２０８側の側部にはＣＤ−ＲＯＭ装着用の開閉部２１１が設けられている。また、第２筐体２０４の前側部２１０にはイヤホン端子２１４が設けられている。これらはパソコン付属機能部を構成しているが、これら以外にも、第２筐体２０４の左右側部２０８、２０９、前側部２１０及び後側部２１５には、電話接続端子やシリアル端子等のコネクタ部等のパソコン付属機能部が設けられている。
コネクタ部２１２には、ケーブル２０７を介してマウス２１３が接続されている。
【００２５】
以下、図４〜図７を用いて、本考案の実施の形態に係る台兼用キーボードカバー１０１の使用方法について説明する。
台兼用キーボードカバー１０１を携帯型パソコン２０１のキーボード２０５を被うように携帯型パソコン２０１上に設置する場合、複数の第２凸部１０５、１０６を携帯型パソコン２０１の左側部２０８よりも僅かに左側に位置させると共に携帯型パソコン２０１の左側部２０８に設けられたＣＤ−ＲＯＭ装着用の開閉部２１１等のパソコン付属機能部に対面しないように位置させ、複数の第１凸部１０３、１０４を携帯型パソコン２０１の右側部２０９よりも僅かに右側に位置させると共に携帯型パソコン２０１の右側部２０９に設けられたコネクタ部２１２等のパソコン付属機能部に対面しないように位置させ、又、各第１支持部１０７、１０８及び第２支持部１０９、１１０が携帯型パソコン２０１のキーボード２０５やトラックパッド２０６に対面しない所に位置するように位置合わせを行い、この状態で台兼用キーボードカバー１０１を携帯型パソコン２０１上に載置する。
【００２６】
これにより、台兼用キーボードカバー１０１は、複数の第１支持部１０７、１０８及び第２支持部１０９、１１０が携帯型パソコンの第２筐体２０４上のキーボード２０５周辺に位置して平板部１０２を支持すると共に、各第１凸部１０３、１０４及び第２凸部１０５、１０６が前記パソコン付属機能部に対面しない状態で、左右側部２０８、２０９の側部に対面した状態で携帯型パソコン２０１上に載置される。
【００２７】
この状態では、台兼用キーボードカバー１０１は、摩擦を有する滑り初め防止部材によって構成された複数の第１支持部１０７、１０８及び第２支持部１０９、１１０によって携帯型パソコン２０１の第２筐体２０４上に支持されるため、携帯型パソコン２０１との相対的な移動が抑えられ、滑ることなく安定して携帯型パソコン２０１上に保持されることになる。
【００２８】
また、台兼用キーボードカバー１０１は、左右方向の動きが複数の第１凸部１０３、１０４及び第２凸部１０５、１０６によって抑制可能になるため、携帯型パソコン２０１上に安定して保持されることになる。各第１凸部１０３、１０４及び第２凸部１０５、１０６と携帯型パソコン２０１の左右側部２０８、２０９との間に隙間が存在しない方が、台兼用キーボードカバー１０１の左右方向の移動をより効果的に抑制することが可能であるが、各第１凸部１０３、１０４及び第２凸部１０５、１０６と携帯型パソコン２０１の左右側部２０８、２０９との間に隙間が存在する場合でも、台兼用キーボードカバー１０１が大きく左右方向に移動することを抑制することが可能になる。
【００２９】
また、各第１凸部１０３、１０４及び第２凸部１０５、１０６は前記パソコン付属機能部を避けた位置に配設されているため、前記パソコン付属機能部にマウス２１３のケーブル２０７等が接続されている場合等でも、各第１凸部１０３、１０４及び第２凸部１０５、１０６はケーブル２０７等の邪魔になることがない。
【００３０】
この状態で、平板部１０２上にメモ用紙を置いてメモをとったり、コーヒーを飲みながら休憩する場合には平板部１０２上にコーヒーカップを置く等して、作業台として使用することが可能になる。この場合、キーボード２０５は台兼用キーボードカバー１０１によって被われて保護されているため、コーヒーを零した場合等でも携帯型パソコン２０１を汚したり損傷を与えることを回避することが可能になる。
【００３１】
このようにして、携帯型パソコン２０１の使用中にメモをとったり、携帯型パソコン２０１使用の合間に一時中断して休憩する場合でも、携帯型パソコン２０１周辺に大きな空間を必要とすることなく、メモやお茶等の作業を容易に行うことが可能になる。
また、平板部１０２を透光性の材料によって構成した場合、平板部１０２を介してキーボード２０５等を視認することが可能になるため、位置合わせが容易になり又、台兼用キーボードカバー１０１を携帯型パソコン２０１上に載置した状態での作業が容易になる等の効果を奏する。
【００３２】
尚、本実施の形態では、台兼用キーボードカバー１０１の平板部１０２によってキーボード２０５及びトラックパッド２０６を被うように構成したが、平板部１０２はある程度の大きさがあれば台として使用できるため、キーボード２０５を被う程度の大きさでもよい。即ち、平板部１０２は少なくともキーボード２０５を被うように構成すればよい。
また、平板部１０２として長方形状のものを使用したが、他の形状のものでもよい。
【産業上の利用可能性】
【００３３】
持ち運び可能な各種の携帯型コンピュータの台兼用キーボードカバーとして適用することが可能である。
【図面の簡単な説明】
【００３４】
【図１】本考案の実施の形態に係る台兼用キーボードカバーの平面図である。
【図２】本考案の実施の形態に係る台兼用キーボードカバーの正面図である。
【図３】本考案の実施の形態に係る台兼用キーボードカバーの斜視図である。
【図４】本考案の実施の形態に係る台兼用キーボードカバーの使用方法を示す斜視図である。
【図５】本考案の実施の形態に係る台兼用キーボードカバーの使用方法を示す斜視図である。
【図６】本考案の実施の形態に係る台兼用キーボードカバーの使用方法を示す部分拡大平面図である。
【図７】本考案の実施の形態に係る台兼用キーボードカバーの使用方法を示す部分拡大正面図である。
【符号の説明】
【００３５】
１０１・・・台兼用キーボードカバー
１０２・・・平板部
１０３、１０４・・・第１凸部
１０５、１０６・・・第２凸部
１０７、１０８・・・第１支持部
１０９、１１０・・・第２支持部
１１１・・・一端である右側部
１１２・・・他端である左側部
１１３・・・前側部
１１４・・・後側部
１１５〜１１８・・・隅部
２０１・・・携帯型パソコン
２０２・・・第１筐体
２０３・・・表示部
２０４・・・第２筐体
２０５・・・キーボード
２０６・・・トラックパッド
２０７・・・ケーブル
２０８・・・他端である左側部
２０９・・・一端である右側部
２１０・・・前側部
２１１・・・開閉部
２１２・・・コネクタ部
２１３・・・マウス
２１４・・・イヤホン端子
２１５・・・後側部
【図１】
0003129195.tif 000003
【図２】
0003129195.tif 000004
【図３】
0003129195.tif 000005
【図４】
0003129195.tif 000006
【図５】
0003129195.tif 000007
【図６】
0003129195.tif 000008
【図７】
0003129195.tif 000009